(57)【要約】      （修正有）【課題】巻取軸に帯状物の端部を係止する巻取り前の事前準備作業等を容易に行える実用性に秀れた巻取軸及び巻取装置の提供。【解決手段】帯状物１をロール状に巻き取る巻取軸２であって、一対の棒体３と、この一対の棒体３の両端部を夫々保持する保持部４ａ・４ｂとから成り、前記保持部４ａ・４ｂの少なくとも一方は前記棒体３に着脱自在に設ける。【選択図】図２
2017030923.tif 000002
【特許請求の範囲】
【請求項１】
帯状物をロール状に巻き取る巻取軸であって、この巻取軸は、一対の棒体と、この一対の棒体の両端部を夫々保持する保持部とから成り、前記保持部の少なくとも一方は前記棒体に着脱自在に設けられていることを特徴とする巻取軸。
【請求項２】
請求項１記載の巻取軸において、前記一対の棒体は、この棒体間に挿入される前記帯状物の端部を挟持する構造であることを特徴とする巻取軸。
【請求項３】
請求項１，２いずれか１項に記載の巻取軸において、前記保持部の少なくとも一方には、回転工具をモータにより回転させる電動工具の該回転工具と係合する係合部が設けられ、前記棒体間に帯状物の端部を挿入した状態で前記係合部に係合した前記回転工具を回転させることで、前記巻取軸を回転させて前記棒体の周囲に前記帯状物をロール状に巻き取れるように構成されていることを特徴とする巻取軸。
【請求項４】
請求項１〜３いずれか１項に記載の巻取軸と、この巻取軸の前記保持部を回転可能且つ着脱自在に支持する支持部を有する架台とから成ることを特徴とする巻取装置。
【請求項５】
請求項４記載の巻取装置において、前記保持部の少なくとも一方には、前記支持部と係合して前記巻取軸を位置決めする位置決め部が設けられていることを特徴とする巻取装置。
【請求項６】
請求項５記載の巻取装置において、一方の前記保持部は前記棒体に着脱自在に設けられ、他方の前記保持部は前記棒体に固着され、この他方の保持部に前記係合部及び前記位置決め部が設けられていることを特徴とする巻取装置。
【請求項７】
請求項４〜６いずれか１項に記載の巻取装置において、前記架台には前記巻取軸に巻き取られる帯状物の幅方向両端部をガイドするガイド部が設けられていることを特徴とする巻取装置。
【請求項８】
請求項４〜７いずれか１項に記載の巻取装置において、前記一対の棒体は水平に配されるものであることを特徴とする巻取装置。
【発明の詳細な説明】
【技術分野】
【０００１】
本発明は、巻取軸及び巻取装置に関するものである。
【背景技術】
【０００２】
茣蓙やカーペット等の長尺の敷物（帯状物）を巻き取る巻取装置として、例えば特許文献１に開示されるように、回転させることで帯状物を巻き取る巻取軸と該巻取軸を回転自在に支持する架台とで構成されるものがある。
【０００３】
ところで、従来の巻取装置における巻取軸としては、特許文献１に図示されるように、長溝が設けられた断面視Ｃ字状の管体等、帯状物の端部を巻取軸の正面から長溝に挿入し、帯状物の端部を巻取軸に係止させた状態で、巻取軸を回転させて巻き取る構成が一般的である。
【０００４】
しかしながら、帯状物の端部を巻取軸の長溝に正面から挿入する作業は厄介である。即ち、帯状物の幅方向両端を夫々持って正面から長溝に挿入しなければならず、作業者が一人の場合は特に厄介である。
【０００５】
そのため、従来の巻取軸では、帯状物の端部を巻取軸に係止する巻取り前の事前準備作業に手間がかかるという問題点がある。
【先行技術文献】
【特許文献】
【０００６】
【特許文献１】実開昭４９−６１２５７号公報
【発明の概要】
【発明が解決しようとする課題】
【０００７】
本発明は、上述のような問題点を解決したもので、巻取軸の正面からでなく開放している側方から帯状物をスライド挿入でき、巻取軸に帯状物の端部を係止する巻取り前の事前準備作業等を容易に行える実用性に秀れた巻取軸及び巻取装置を提供するものである。
【課題を解決するための手段】
【０００８】
添付図面を参照して本発明の要旨を説明する。
【０００９】
帯状物１をロール状に巻き取る巻取軸であって、この巻取軸２は、一対の棒体３と、この一対の棒体３の両端部を夫々保持する保持部４ａ・４ｂとから成り、前記保持部４ａ・４ｂの少なくとも一方は前記棒体３に着脱自在に設けられていることを特徴とする巻取軸に係るものである。
【００１０】
また、請求項１記載の巻取軸において、前記一対の棒体３は、この棒体３間に挿入される前記帯状物１の端部を挟持する構造であることを特徴とする巻取軸に係るものである。
【００１１】
また、請求項１，２いずれか１項に記載の巻取軸において、前記保持部４ａ・４ｂの少なくとも一方には、回転工具16をモータにより回転させる電動工具15の該回転工具16と係合する係合部５が設けられ、前記棒体３間に帯状物１の端部を挿入した状態で前記係合部５に係合した前記回転工具16を回転させることで、前記巻取軸２を回転させて前記棒体３の周囲に前記帯状物１をロール状に巻き取れるように構成されていることを特徴とする巻取軸に係るものである。
【００１２】
また、請求項１〜３いずれか１項に記載の巻取軸２と、この巻取軸２の前記保持部４ａ・４ｂを回転可能且つ着脱自在に支持する支持部７・８を有する架台10とから成ることを特徴とする巻取装置に係るものである。
【００１３】
また、請求項４記載の巻取装置において、前記保持部４ａ・４ｂの少なくとも一方には、前記支持部７・８と係合して前記巻取軸２を位置決めする位置決め部が設けられていることを特徴とする巻取装置に係るものである。
【００１４】
また、請求項５記載の巻取装置において、一方の前記保持部４ａは前記棒体３に着脱自在に設けられ、他方の前記保持部４ｂは前記棒体３に固着され、この他方の保持部４ｂに前記係合部５及び前記位置決め部が設けられていることを特徴とする巻取装置に係るものである。
【００１５】
また、請求項４〜６いずれか１項に記載の巻取装置において、前記架台10には前記巻取軸２に巻き取られる帯状物１の幅方向両端部をガイドするガイド部が設けられていることを特徴とする巻取装置に係るものである。
【００１６】
また、請求項４〜７いずれか１項に記載の巻取装置において、前記一対の棒体３は水平に配されるものであることを特徴とする巻取装置に係るものである。
【発明の効果】
【００１７】
本発明は上述のように構成したから、巻取軸に帯状物の端部を係止する巻取り前の事前準備作業等を容易に行える実用性に秀れた巻取軸及び巻取装置となる。
【図面の簡単な説明】
【００１８】
【図１】本実施例の概略説明斜視図である。
【図２】本実施例の巻取軸の概略説明斜視図である。
【図３】本実施例の使用状態説明図である。
【図４】本実施例の巻取軸の概略説明斜視図である。
【発明を実施するための形態】
【００１９】
好適と考える本発明の実施形態を、図面に基づいて本発明の作用を示して簡単に説明する。
【００２０】
棒体３の端部を保持する一方の保持部４ａを一対の棒体から取り外し、長さ数ｍ〜２０ｍ程度の茣蓙等の帯状物１の端部を棒体３間に挿入し（図２参照）、取り外した保持部４ａを取り付け、巻取軸２を巻き取り回転させる際に帯状物１が脱落しないように１〜数回転ほど手動で巻取軸２に巻いた後、例えば巻取軸２を電動で連続的に回転させて帯状物１をロール状に巻き取る。
【００２１】
この際、一方の手で巻取軸２を支えながら他方の手で帯状物１を持ち、帯状物１を一対の棒体３の開放端側（開放している側方）から一対の棒体３間にスライド挿入させることで、簡単に帯状物１を棒体３間に挿入することができ、特許文献１の巻取軸のような帯状物の幅方向両端部を夫々持って正面から長溝に挿入するという面倒な作業が不要となり、一人でも容易に帯状物１の端部を巻取軸２に係止する巻取り前の事前準備作業を行うことができる。
【００２２】
また、帯状物１をロール状に巻き取った後、一方の保持部４ａを一対の棒体３から取り外し、他方の保持部４ｂを掴んでロール状の帯状物１から引き抜くことで、帯状物１のロール形状を崩さずに容易に巻取軸２を抜き取ることができる（図４参照）。従って、帯状物１の巻回が円滑に完了することになり、更に、巻取軸２を簡単に再利用できるから、多数の帯状物１を巻き取る場合でも、１つの巻取軸２を用いて順次帯状物１をロール状に巻き取れることになる。
【００２３】
また、例えば、前記保持部４ａ・４ｂの少なくとも一方に、回転工具16をモータにより回転させる電動工具15の該回転工具16と係合する係合部５を設け、前記棒体３間に帯状物１の端部を挿入した状態で前記係合部５に係合した前記回転工具16を回転させることで、巻取軸２を回転させて前記棒体３に前記帯状物１をロール状に巻き取れるように構成した場合には、前記巻取り前の事前準備作業後、極めて効率的に帯状物１をロール状に巻き取れるものとなる。
【実施例】
【００２４】
本発明の具体的な実施例について図面に基づいて説明する。
【００２５】
本実施例は、図１に図示したように、帯状物１をロール状に巻き取るアルミニウム製の巻取軸２であって、水平に配される一対の棒体３と、この一対の棒体３の両端部を夫々保持する保持部４ａ・４ｂとから成り、前記保持部４ａ・４ｂの少なくとも一方は前記棒体３に着脱自在に設けられている巻取軸２と、この巻取軸２の前記保持部４ａ・４ｂを回転可能且つ着脱自在に支持する支持部７・８を有する架台10とから成る巻取装置である。
【００２６】
本実施例は、例えば体育館や集会場で行事の際に敷かれる長さ数ｍ〜２０ｍ、幅数１０ｃｍ〜１００ｃｍ程度の茣蓙等の帯状の敷物１を巻き取る際に用いられるものである。
【００２７】
具体的には、前記巻取軸２の前記保持部４ａ・４ｂの少なくとも一方には、回転工具16をモータにより回転させる電動工具15の該回転工具16と係合する係合部５が設けられ、前記棒体３間に帯状物１の端部を挿入した状態で前記係合部５に係合した前記回転工具16を回転させることで、巻取軸２を回転させて前記棒体３の周囲に前記帯状物１をロール状に巻き取れるように構成されている。
【００２８】
本実施例においては、係合部５は回転工具16（六角ソケット）の六角穴と合致する六角柱状であり、後述する他方の保持部４ｂの端面に突設されている。この係合部５の中心線は巻取軸２の軸心（軸方向の中心線）と一致するように設けられる。また、本実施例の一対の丸棒状の棒体３は、巻取軸２の軸心（軸方向の中心線）を挟むように平行に設けられている。
【００２９】
従って、回転工具16をモータにより回転させることで巻取軸２を回転させ巻取軸２（棒体３）の周囲にロール状に巻取ることができ、帯状物１の巻取りを極めて効率的に行えることになる。なお、巻取軸２の係合部５は、手動で回転させるクランクハンドルに設けた六角穴等の係合穴と係合するように構成しても良い。
【００３０】
保持部４ａ・４ｂは、概ね円柱体である。また、一方の保持部４ａの内端面には一対の棒体３の端部が夫々着脱自在に嵌合する嵌合穴13が設けられている。
【００３１】
また、保持部４ａ・４ｂの少なくとも一方には、前記支持部と係合して前記巻取軸を位置決めする位置決め部が設けられている。
【００３２】
具体的には、前記巻取軸２の一方の保持部４ａは前記棒体３に着脱自在に設けられ、他方の保持部４ｂは前記棒体３に着脱不能に設けられ、この他方の保持部４ｂに前記係合部５及び前記位置決め部が設けられている。
【００３３】
即ち、一方の保持部４ａの嵌合穴13には前記一対の棒体３の一端が着脱自在に嵌合され、他方の保持部４ｂには前記一対の棒体３の他端が固着されている（例えば一方の保持部４ａ同様の嵌合穴を設け、この嵌合穴に嵌合した棒体３の他端を取り付けネジ等で固定する。）。
【００３４】
また、一対の棒体３の間隔は、帯状物１の厚さよりやや広い間隔（例えば帯状物１の厚さの１．５〜５倍程度の間隔）に設定する。帯状物１の端部を一対の棒体３間に挿入した際には、一対の棒体３で帯状物１を挟持した状態を維持するため（帯状物１の端部を棒体３に係止するため）に粘着テープ等の他部材を用いて帯状物１を棒体３に固定しても良いし、手動で帯状物１を一対の棒体３の周囲に、１〜数回転巻き取ることで係止しても良い。
【００３５】
そして、一方の保持部４ａには掴み易いように、他（径大部）より一段径小な径小部14が設けられている。また、他方の保持部４ｂには、他（径大部）より一段径小な径小部６が設けられ、この径小部６が位置決め部に設定されている。他方の保持部４ｂの径小部６の幅は、この径小部６を支持する架台10の支持部８（の先端部）の幅と略同幅に設定されており、径小部６と径大部との段差面に支持部８（の先端部）が当接することで位置決めされるように構成されている。
【００３６】
また、架台10の一方の保持部４ａを支持する支持部７は一方の保持部４ａの径大部を支持するように構成されている。
【００３７】
また、架台10の支持部７・８は、保持部４ａ・４ｂの支持される部位の（下側半分の）周面に夫々合致する円弧状底部を有する断面Ｕ字状の溝18・19を有する先端部と、巻取軸２に巻き取られる帯状物１の幅方向両端部をガイドするガイド部としての左右一対の側壁部９に取り付けられる基端部とで構成されている。従って、先端部の前記溝18・19に保持される巻取軸２の保持部４ａ・４ｂは着脱自在且つ回転自在な状態で支持される。また、支持部７・８に支持された状態では巻取軸２（一対の棒体３）は水平となるように構成されている。
【００３８】
架台10の側壁部９は連結体11により連結されており、各側壁部９の下端には移動用の車輪12が設けられている。また、側壁部９には、巻取軸２の前記支持部７・８への着脱をガイドする切欠き部17が設けられている。
【００３９】
従って、棒体３の端部を保持する一方の保持部４ａを一対の棒体３から取り外し、茣蓙等の帯状物１の端部を棒体３間に挿入し（図２参照）、取り外した保持部４ａを取り付け、巻取軸２を巻き取り回転させる際に帯状物１が脱落しないように１〜数回転ほど手動で巻取軸２に巻いた後、巻取軸２を架台10の支持部７・８に支持せしめ、巻取軸２の係合部５に電動工具15の回転工具16を係合して回転工具16を回転駆動することで、巻取軸２を連続的に回転させて帯状物１をロール状に巻き取ることができる（図３参照）。
【００４０】
本実施例は上述のように構成したから、茣蓙等の長尺の帯状の敷物１を巻き取る際、一方の手で巻取軸２を支えながら他方の手で帯状物１を持ち、一対の棒体３の開放端側から一対の棒体３間にスライド挿入させることで簡単に棒体３間に挿入することができ、一人でも容易に、帯状物１の端部を巻取軸２に係止する、巻取軸２を回転工具16により回転させることによる本巻取り前の事前準備作業を行うことができる。
【００４１】
また、帯状物１をロール状に巻き取った後、一方の保持部４ａを一対の棒体３から取り外し、他方の保持部４ｂを掴んでロール状の帯状物１から引き抜くことで、帯状物１のロール形状を崩さずに容易に巻取軸２を抜き取ることができる（図４参照）。従って、帯状物１の巻回が円滑に完了することになり、更に、巻取軸２を簡単に再利用できるから、多数の帯状物１を巻き取る場合でも、１つの巻取軸２を用いて順次帯状物１をロール状に巻き取れることになる。
【００４２】
よって、本実施例は、巻取軸に帯状物の端部を係止する巻取り前の事前準備作業等を容易に行える実用性に秀れたものとなる。
【符号の説明】
【００４３】
１  帯状物
２  巻取軸
３  棒体
４ａ・４ｂ  保持部
５  係合部
７・８  支持部
10  架台
15  電動工具
16  回転工具
【図１】
2017030923.tif 000003
【図２】
2017030923.tif 000004
【図３】
2017030923.tif 000005
【図４】
2017030923.tif 000006